(57)【要約】【課題】  容器包装リサイクル法に基づき、各家庭から資源物として搬出されるペットボトルの形状、大きさに危惧すること無く安全に切開し、その体積減少を容易なものとし、且つ該切開器具の簡素化を目的とする。【解決手段】  自在に湾曲するベルト体の中央長手方向に切込みを設け、これに摺動するよう構成されたスライドカッター部にて、大小、異形ペットボトルを長手方向に切断する切開器具。【選択図】図１
0003124990.tif 000002
【実用新案登録請求の範囲】
【請求項１】
自在に湾曲する構造の帯状のベルト体に、その長手方向上端部に懸装部材、下端に端末部材を備え、該ベルト体の中央長手方向上端部から下端部までガイド切込みと摺動部材を設け、上部にスライドカッターが係着した摺動具を該ベルト体切込みに挿通し摺動させる構造で、スライドカッターの刃先により、ペットボトルに対し上部から下部へと、該ベルト体上を摺動させ、切断するよう構成されたことを特徴とする切開器具。
【請求項２】
前記ベルト体下端に係止された端末部材は、断面楕円状若しくは断面長方形とし、それに一体する端部の握柄を巻回し、該ベルト体を巻張する構造を特徴とする請求項１記載の切開器具。
【考案の詳細な説明】
【技術分野】
【０００１】  本考案は、容器リサイクル法に基づき、各家庭から資源物として搬出されるペットボトルの体積減少を目的とする家庭用切開器具に関するものである。
【背景技術】
【０００２】  ペットボトルの外周を螺旋状に切開し、その体積を大幅に減少、搬出効果を上げた家庭用切断装置は市販されていた。（文献名  特開平０９−２７１６８９公報）【０００３】  しかし、前記の切断装置では、形状、大きさ等多種多様化した昨今、対応出来無くなり、また、取っ手付き大形ペットボトル（４ｌ、５ｌ）においては、手立てが無かった。
【考案の開示】
【考案が解決しようとする課題】
【０００４】  従来の切断装置等で対応出来なくなったペットボトルの形状、大きさに危惧すること無く安全に切開し、その体積減少を容易なものとし、且つ該切開器具の簡素化を目的とするものである。
【課題を解決するための手段】
【０００５】  本考案は、自在に湾曲する帯状のベルト体の、中央長手方向に切込みを設け、スライドカッターが係着された摺動具を、その切込みをガイドとして摺動させ、刃先にて長手方向に切開するよう構成され、これをベルト体上端部の懸装部材にてペットボトルの飲み口部に懸装し、使用するものである。
【考案の効果】
【０００６】  ペットボトルを長手方向に切込むことにより、形状、大きさに拘らず任意の切開箇所と切開数を選べるもので、取扱いが危惧されるスライドカッターは、摺動具に軸着させることにより刃先の不意な飛び出しが無く、安全な切開作業が行われる。
【考案を実施するための最良の形態】
【０００７】  ベルト体上端部の懸装部材をペットボトルの飲み口部に懸装し、ベルト体をペットボトルの外周長手方向に垂れ下げた状態とし、ベルト体中央長手方向に設けたガイド切込みに、摺動具に備えたスライド孔を挿通し、ベルト体下端部の握柄を片手若しくは片足で支持し、摺動具に軸着されたスライドカッターにより、ペットボトルに対し上部から下部へと摺動させ、切込む。
【実施例】
【０００８】  以下、添付図面に基づいて実施例を説明する。２は繊維製若しくは蛇腹状プラスチック及び金属等適宜素材にて形成されたベルト体、７はスライドカッター８が軸着された摺動具で、懸装部材５をペットボトル１の飲み口部に懸装し、ベルト体２の中央長手方向に設けたガイド切込み３に摺動具７を挿通し、スライドカッター８にて上部から下部へと切込む。【０００９】  ４は摺動具７のスライド孔１０が挿通し、滑動と脱落防止を目的とした摺動部材で、切込み時、ベルト体２と摺動具７がペットボトルの形状に沿って当接するのを抑制しない形状、間隔で構成するものである。然しながら、ベルト体２の素材によっては省くものとする。【００１０】  懸装部材５は、大形のペットボトルの飲み口に合わせたサイズの環状とし、ベルト体２の長さも大形ペットボトルに対応し得るものとする。【００１１】  前記ベルト体２の下端部には端末部材６を備え、その断面形状は楕円形状若しくは長方形状とし、該部材の両端の握柄９を回転することにより、ベルト体２を巻張しやすく、反転しにくい構成とし、小形のペットボトルにも対応出来るものとした。【００１２】  スライドカッター８は担持部材１１と担持受部材１４を介し、軸１２により軸着されたことで刃先１３の角度を可変出来るもので、切断中であっても状況に応じて角度を選べる構成で、且つ刃先１３の不意な飛び出しが無く安全なものとしている。【００１３】  上述の如く構成された該切開器具は、懸装部材５を懸装したペットボトル１の飲み口を中心に、ベルト体２を外周側面に垂れ下げ回し、任意の切込み箇所と切込み数を選べるもので、ペットボトルが大小、異形であっても長手方向に切込むことにより、その形状に沿ってスライドカッター８に係着する摺動具７により押圧作用が生じる為、ベルト体２も押圧されながらガイドするものである。【００１４】  即ち、ペットボトルが大形になるほど、多数の切込みを入れて割り竹状態とし、然るべく鋏１５にて任意に、且つ安全に切り刻むものである。【００１５】  また、ベルト体２と摺動具７は着脱する構造であるから、取り外せば嵩張らず簡素な形状となり、未使用時の収納に優れ、壁や柱などのフックにぶら下げたりも出来るものである。
【図面の簡単な説明】
【００１６】
【図１】  本考案の大形異形ペットボトルに対する使用状態を示す斜視図である。
【図２】  本考案のベルト体２の構成を示す説明図である。
【図３】  ［図２］の要部の拡大説明図である。
【図４】  本考案の中形異形ペットボトルに対する使用状態を示す斜視図である。
【図５】  本考案の小形異形ペットボトルに対する使用前状態を示す斜視図である。
【図６】  本実施例のベルト体２と摺動具７との構成を示す斜視図である。
【図７】  前記の摺動具７とスライドカッター８との構成を示す側面図である。
【図８】  本実施例のペットボトルの凸部における使用状態を示す側面図（一部切欠断面を含む）である。
【図９】  本実施例のペットボトルの凹部における使用状態を示す側面図（一部切欠断面を含む）である。
【図１０】  本実施例の切開後、鋏１５での切断状態を示す斜視図である。
【符号の説明】
１      ペットボトル
２      ベルト体
３      ガイド切込み
４      摺動部材
５      懸装部材
６      端末部材
７      摺動具
８      スライドカッター
９      握柄
１０      スライド孔
１１      担持部材
１２      軸
１３      刃先
１４      担持受部材
１５      鋏
１６      切断線
【図１】
0003124990.tif 000003
【図２】
0003124990.tif 000004
【図３】
0003124990.tif 000005
【図４】
0003124990.tif 000006
【図５】
0003124990.tif 000007
【図６】
0003124990.tif 000008
【図７】
0003124990.tif 000009
【図８】
0003124990.tif 000010
【図９】
0003124990.tif 000011
【図１０】
0003124990.tif 000012